【誤訳訂正書】
【提出日】令和3年10月28日(2021.10.28)
【誤訳訂正１】
【訂正対象書類名】特許請求の範囲
【訂正対象項目名】全文
【訂正方法】変更
【訂正の内容】
【特許請求の範囲】
【請求項１】
ＩＰ分類システムであって、
ウェブサイトを提供している少なくとも１つの電子サーバ、
命令を保存している少なくとも１つのデバイス、
少なくとも１つのプロセッサであって、
前記電子サーバにアクセスするための電子リクエストを受信すること、
第１の期間中に生じるおよびＩＰアドレスのセットに属している第１のＩＰアドレスから発信しているリクエストの第１のセットをログ記録すること、
リクエストの前記第１のセットに従ってＩＰアドレスの前記セットを第１のカテゴリに割り当てることであって、前記第１のカテゴリが、
高、通常、または不正を含む第１の値ディスクリプタ、または
個人、公衆、または社内を含む第１の送信元ディスクリプタを含む、こと、
ＩＰアドレスの前記セットに割り当てられた前記第１のカテゴリの前記第１の値ディスクリプタまたは前記第１の送信元ディスクリプタに基づいて第２の期間を決定すること、
第２の期間中に生じるおよびＩＰアドレスの前記セットに属している前記第１のＩＰアドレスまたは第２のＩＰアドレスから発生するリクエストの第２のセットをログ記録すること、
トリガイベントが検出されたとき、または第２の期間が終了したときのいずれか早い方が生じたときに、リクエストの前記第２のセットに従って第２のカテゴリを決定すること、
前記第１のカテゴリと前記第２のカテゴリが異なる場合にＩＰアドレスの前記セットを前記第２のカテゴリに割り当てること、ならびに
リクエストしているＩＰアドレスが属しているＩＰアドレスの前記セットに対応付けられている前記第１または第２のカテゴリに基づいて、リクエストしている前記ＩＰアドレスへと応答を提供すること、を含む、動作を実施するための前記命令を実行するように構成されている、プロセッサ、を含む、ＩＰ分類システム。
【請求項２】
ＩＰアドレスの前記セットが、ＩＰアドレスの数値範囲によって定義されている、請求項１に記載のシステム。
【請求項３】
リクエストの前記第１のセットおよび前記第２のセットが、
訪問された一意のウェブページの数、
リクエストの数、
一意のユーザの数、
アクセスされた一意のユーザアカウントの数、
少なくとも１つの注文を有する一意のアカウントの数、
注文数、または
総売上量
のうち少なくとも１つを含む、請求項１に記載のシステム。
【請求項４】
ＩＰアドレスの前記セットを割り当てることが、
リクエストが購入しきい値より多い購入を含む場合、ＩＰアドレスの前記セットを前記高値ディスクリプタを含むカテゴリに割り当てること、
リクエストが前記購入しきい値より少ない購入を含む場合、ＩＰアドレスの前記セットを前記通常ディスクリプタを含むカテゴリに割り当てること、および
リクエストがアカウントへの不正アクセスを含む場合、またはリクエスト数がリクエスト上限を超える場合、ＩＰアドレスの前記セットを前記不正ディスクリプタを含むカテゴリに割り当てることを更に含む、請求項１に記載のシステム。
【請求項５】
前記購入しきい値が、
ＩＰアドレスの複数のセットの売上データを得ること、
売上によってＩＰアドレスを配列すること、
売上によってＩＰアドレスの最上位パーセンタイルを設定すること、および
前記購入しきい値を、ＩＰアドレスの前記最上位パーセンタイルに対応している売上量に設定することによって決定される、請求項４に記載のシステム。
【請求項６】
前記購入しきい値が、
複数の購入の取引量を得ること、および
前記購入しきい値より多い取引総数が所望の値を超えるよう前記購入しきい値を設定することによって決定される、請求項４に記載のシステム。
【請求項７】
前記トリガイベントがリクエストの前記第１のセットに基づく場合、前記第１の期間の終了前に第１のカテゴリにＩＰアドレスの前記セットを割り当て、
前記トリガイベントがリクエストの前記第２のセットに基づく場合、前記第２の期間の終了前に前記第２のカテゴリにＩＰアドレスの前記セットを割り当てる、
請求項４に記載のシステム。
【請求項８】
前記トリガイベントが、社内として事前に分類されていないＩＰアドレスから受信したリクエストに対応付けられており、
高値の購入、
事前に前記ユーザアカウントと対応付けられていないＩＰアドレスのセット内のＩＰアドレスからユーザアカウントにアクセスするためのリクエスト、または
社内企業アカウントにアクセスするためのリクエストのうち少なくとも１つを含む、請求項７に記載のシステム。
【請求項９】
ＩＰアドレスの前記セットを前記第１または第２のカテゴリに割り当てることが、
一意のユーザ数がユーザしきい値よりも低い場合、前記個人ディスクリプタを含むカテゴリにＩＰアドレスの前記セットを割り当てること、
前記一意のユーザ数が前記ユーザしきい値を超える場合、前記公衆ディスクリプタを含むカテゴリにＩＰアドレスの前記セットを割り当てること、および
ＩＰアドレスの前記セットが前記ウェブサイトを所有している企業と対応付けられている場合、前記社内ディスクリプタを含むカテゴリにＩＰアドレスの前記セットを割り当てること、を更に含む、請求項１に記載のシステム。
【請求項１０】
ＩＰアドレスの前記セットを前記第１または第２のカテゴリに割り当てることが、
ＩＰアドレスの前記セット中のＩＰアドレスと対応付けられている物理アドレスを決定すること、
事業アドレスまたは住居アドレスとして前記物理アドレスを識別すること、
前記物理アドレスが住居アドレスの場合、前記個人ディスクリプタを含むカテゴリにＩＰアドレスの前記セットを割り当てること、および
前記物理アドレスが事業アドレスの場合、前記公衆ディスクリプタを含むカテゴリにＩＰアドレスの前記セットを割り当てることを更に含む、請求項１に記載のシステム。
【請求項１１】
リクエストしている前記ＩＰアドレスが、前記高値ディスクリプタを含むカテゴリへと割り当てられているＩＰアドレスのセット中にある場合、前記応答が、割引、オファー、またはサービスのうち少なくとも１つを含む、請求項１に記載のシステム。
【請求項１２】
前記サービスが、
カスタマーサポートのサービスチケットをインスタンス化すること、
前記通常ディスクリプタを含むカテゴリへと割り当てられたＩＰアドレスのセットに対応付けられたチケットへと割り当てられている優先権よりも高い優先権を、前記チケットに割り当てること、
前記チケットに対するインターネット帯域幅、プロセッサ時間、メモリ、および技術サポートスタッフのうち少なくとも１つを含むリソースを配分し、前記リソース量は前記優先権に見合っていること、および
前記リソースを用いてリクエストしている前記ＩＰアドレスと対応付けられている顧客へのサポートを提供することを含む、請求項１１に記載のシステム。
【請求項１３】
リクエストしている前記ＩＰアドレスが、前記不正ディスクリプタを含むカテゴリに割り当てられたＩＰアドレスのセット中にある場合、前記応答が前記ウェブサイトへのアクセスをブロックすることを含む、請求項１に記載のシステム。
【請求項１４】
前記プロセッサが、
リクエストしている前記ＩＰアドレスからのリクエストがユーザアカウントにログインしようとする試行を含むことを決定し、および
前記リクエストがユーザアカウントにログインするための前記試行を含むということの決定に基づき、Ｅメール、電話、テキストメッセージ、またはアプリ通知のうち少なくとも１つによって前記ユーザアカウントの所有者に通知を送る前記命令を実行するよう更に構成されている、請求項１３に記載のシステム。
【請求項１５】
ＩＰ分類方法が、
電子サーバにアクセスするための電子リクエストを受信すること、
第１の期間中に生じるおよびＩＰアドレスのセットに属している第１のＩＰアドレスから発信しているリクエストの第１のセットをログ記録すること、
リクエストの前記第１のセットに従ってＩＰアドレスの前記セットを第１のカテゴリに割り当てることであって、前記第１のカテゴリが、
高、通常、または不正を含む第１の値ディスクリプタ、または
個人、公衆、または社内を含む第１の送信元ディスクリプタを含む、こと、
ＩＰアドレスの前記セットに割り当てられた前記第１のカテゴリの前記第１の値ディスクリプタまたは前記第１の送信元ディスクリプタに基づいて第２の期間を決定すること、
第２の期間中に生じるおよびＩＰアドレスの前記セットに属している前記第１のＩＰアドレスまたは第２のＩＰアドレスから発生するリクエストの第２のセットをログ記録すること、
トリガイベントが検出されたとき、または第２の期間が終了したときのいずれか早い方が生じたときに、リクエストの前記第２のセットに従って第２のカテゴリを決定すること、
前記第１のカテゴリと前記第２のカテゴリが異なる場合にＩＰアドレスの前記セットを前記第２のカテゴリに割り当てること、ならびに
リクエストしているＩＰアドレスが属しているＩＰアドレスの前記セットに対応付けられている前記第１または第２のカテゴリに基づいて、リクエストしている前記ＩＰアドレスへと応答を提供することを含む、ＩＰ分類方法。
【請求項１６】
第２の電子サーバにアクセスする電子リクエストを受信することを更に含み、および
リクエストの前記第２のセットが、前記第２の電子サーバにアクセスするリクエストを含む、
請求項１５に記載のＩＰ分類方法。
【請求項１７】
リクエストの前記第１のセットのログを転送すること、
前記第１のカテゴリを転送すること、
リクエストの前記第２のセットのログを転送すること、および
前記第２のカテゴリを転送することを更に含む、
請求項１５に記載のＩＰ分類方法。
【請求項１８】
リクエストの前記第１のセットの前記ログを転送すること、前記第１のカテゴリを転送すること、リクエストの前記第２のセットの前記ログを転送すること、および前記第２のカテゴリを転送することのうち少なくとも１つがＡＰＩを介して生じる、請求項１７に記載のＩＰ分類方法。
【請求項１９】
ＩＰ分類システムであって、
少なくとも１つの電子サーバ、
命令を保存している少なくとも１つのデバイス、
少なくとも１つのプロセッサであって、
前記電子サーバにアクセスするための電子リクエストを受信することであって、当該リクエストが注文に対応付けられている、こと、
第１の期間中に生じるおよびＩＰアドレスの数値範囲によって定義されているＩＰアドレスのセットに属している第１のＩＰアドレスから発信している前記注文の数をログ記録すること、
仮に前記注文の数がしきい値より少ない場合、ＩＰアドレスの前記セットを通常値ディスクリプタを含む第１のカテゴリに割り当てることであって、前記第１のカテゴリが、個人、公衆、または社内を含む第１の送信元ディスクリプタをさらに含む、こと、
ＩＰアドレスの前記セットに割り当てられた前記第１のカテゴリの前記標準値ディスクリプタまたは前記第１の送信元ディスクリプタに基づいて第２の期間を決定すること、
第２の期間中に生じるおよびＩＰアドレスのセットに属している前記第１のＩＰアドレスまたは第２のＩＰアドレスから発生する第２の注文数をログ記録すること、
前記第２の注文数が前記しきい値を超える場合、ＩＰアドレスの前記セットを高値カテゴリに割り当てること、
仮にＩＰアドレスの前記セットが前記高値カテゴリに割り当てられる場合、ＩＰアドレスの前記セットに属しているリクエストしているＩＰアドレスに対する割引を含む応答を提供すること、を含む、動作を実施するための前記命令を実行するように構成されている、プロセッサ、を含む、ＩＰ分類システム。
【誤訳訂正２】
【訂正対象書類名】明細書
【訂正対象項目名】００３９
【訂正方法】変更
【訂正の内容】
【００３９】
[0043]  ステップ２１０では、ＩＰ分類システム１０２は、リクエストの第２のセットに基づいた新規の第２のカテゴリを決定する。第２のカテゴリは、購入しきい値、ユーザしきい値、リクエスト上限、およびトリガイベントといった、第１のカテゴリを決定するために使用されている同様の技術を用いて決定されることができる。第２のカテゴリはまた、トリガイベントの場合には第２の期間の終了前に決定されてもよいし、第２の期間が終了した後に決定されてもよい。